(57)【要約】【課題】地震等の際に外れることがなく、操作も容易である。【解決手段】ＦＩＸ窓１は外側障子と内側障子を設けた二重サッシである。内側障子は取り外し可能であり、上枠のレール溝と下枠１１のレール溝１１ａに上框と下框１７がそれぞれ係止し、左右の縦框には係止しない。下框１７の屋内側の中間面１７ｃに内側障子が地震で内側の枠体９から外れることを阻止する外れ止め部材２２を固定した。外れ止め部材２２の保持部２３に固定した係止舌片２４の下部が下框１７の下方に突出し、下框１７と下枠１１のレール溝１１ａの内面との間に進出して内側障子が外れることを阻止する。外れ止め部材２２には内側障子に対する回転を阻止するための起立部と下端部の平面部とを有し、起立部はハンドル２０の固定部２０ａに当接し、平面部は下框１７の下方の段部１７ｂに当接する。【選択図】図４
2018184709.tif 000002
【特許請求の範囲】
【請求項１】
上下左右の框の内部にパネルを納めた障子であって、
前記框に前記障子が枠体から外れることを阻止するための外れ止め部材が前記框より外側に突出して取り付けられ、前記外れ止め部材には前記障子に対する回転を阻止するための回転止め部が設けられていることを特徴とする障子。
【請求項２】
前記回転止め部は、前記框に当接する第一回転止め部と、前記框に当接すると共に前記第一回転止め部に交差する方向に設けられた第二回転止め部と、の少なくとも一方を有している請求項１に記載された障子。
【請求項３】
前記框にはハンドルが設置され、前記第一回転止め部はハンドルに当接する前記外れ止め部材の起立部である請求項２に記載された障子。
【請求項４】
前記ハンドルは前記框に固定される２つの固定部を有しており、一方の前記固定部に前記外れ止め部が固定され、他方の前記固定部にスペーサが固定されている請求項３に記載された障子。
【請求項５】
上枠及び下枠と左右の縦枠を備えた枠体内に障子を納めたサッシであって、
前記障子の横框に前記障子が枠体から外れることを阻止する外れ止め部材が前記横框より外側に突出して設けられ、
前記上枠または下枠には前記横框との間に前記外れ止め部材を受け入れ可能な弾性を有する封止部材が設けられていることを特徴とするサッシ。
【請求項６】
前記障子は前記上枠及び下枠で支持され、前記縦枠では支持されていない請求項５に記載されたサッシ。
【請求項７】
前記封止部材は下向きに形成され、前記横框は前記障子の下部に設けた下框であり、前記外れ止め部材は前記下框より下方に延びていて前記封止部材は前記外れ部材を受け入れて弾性変形可能とされている請求項５または６に記載されたサッシ。
【請求項８】
障子の框に固定されて前記障子が枠体から外れることを阻止する外れ止め部材であって、
前記障子との間で相対回転を阻止する回転止め部を有する保持部と、
前記保持部に固定され且つ前記保持部から延びていて前記枠体との間に係止される係止部と、
を備えたことを特徴とする外れ止め部材。
【請求項９】
前記保持部に設けた回転止め部は、前記框に当接する第一回転止め部と、前記框に当接すると共に前記第一回転止め部に交差する方向に設けられた第二回転止め部と、の少なくとも一方を有している請求項８に記載された外れ止め部材。
【請求項１０】
枠体に障子を取り付ける障子の取り付け方法であって、
前記枠体の下枠に形成された溝部に支持部材を取り付ける工程と、
前記枠体の上枠に形成された溝部と前記下枠の支持部材との間に前記障子を取り付ける工程と、
前記障子の下框に設けられた外れ止め部材を前記下枠の溝部内に突出させる工程と、
を備えたことを特徴とする障子の取り付け方法。
【発明の詳細な説明】
【技術分野】
【０００１】
本発明は、住宅等の建物のサッシに設けた障子が外れることを防止する外れ止め部材を備えた障子、サッシ、外れ止め部材及び障子の取り付け方法に関する。
【背景技術】
【０００２】
従来、ＦＩＸ窓として例えば図１０に示すような二重ガラスを備えたものがある。このＦＩＸ窓１００は、窓枠１０１に外側障子１０２及び内側障子１０３を嵌め込んでおり、外側障子１０２は窓枠１０１に固定され、内側障子１０３は掃除等のために取り外し可能とされている。そのため、窓枠１０１に収納された内側障子１０３は上枠１０４と下枠１０５のレール溝にケンドン式に収納されて係止され、着脱のために左右の縦枠には係止されていない。
【０００３】
また、特許文献１に記載された引き違い窓では、内障子が枠体から外れることを防止するために、召し合わせ框の側部の上部に外れ止め金具を取り付けて内障子の上端から上方に突出させている。召し合わせ框の側部の下部には下枠のレール部に当接する略Ｌ字状の脚片と突部を有する下部板体を設けている。外れ止め金具と下部板体は駒片を回動させて内障子の側面に形成した屈曲片に係合可能としている。
【先行技術文献】
【特許文献】
【０００４】
【特許文献１】実開昭５２−８９８４２号公報
【発明の概要】
【発明が解決しようとする課題】
【０００５】
しかしながら、上述したＦＩＸ窓は地震等の際に縦揺れによって内側障子が上枠内で上側に浮き上がることで下枠との係合を外れてしまい、これと同時に横揺れが発生すると内側障子が横ずれして窓枠全体から外れてしまうという問題があった。
また、特許文献１に記載されたサッシ窓では、外れ止め金具が内障子の上側にあるため、内障子を着脱する際に外れ止め金具を取り付けたり取り外したりする必要があった。そのため、背の低い作業者が操作する場合に手が届きにくい等、操作が煩雑で面倒であった。
【０００６】
本発明は、このような実情に鑑みてなされたものであり、地震等の際に外れることがなく、操作も容易な障子、サッシ、外れ止め部材及び障子の取り付け方法を提供することを目的とする。
【課題を解決するための手段】
【０００７】
本発明に係る障子は、上下左右の框の内部にパネルを納めた障子であって、框に障子が枠体から外れることを阻止するための外れ止め部材が框より外側に突出して取り付けられ、外れ止め部材には障子に対する回転を阻止するための回転止め部が設けられていることを特徴とする。
本発明によれば、地震が発生して縦揺れによって障子の一の框が枠体から外れ、これと同時に横揺れが発生して障子が枠体から外れようとしても、外れ止め部材の框から突出する部分が枠体に当接することで外れることを阻止できる。また、外れ止め部材は回転止め部が障子に当接することで回動を阻止される。
【０００８】
また、回転止め部は、框に当接する第一回転止め部と、框に当接すると共に第一回転止め部に交差する方向に設けられた第二回転止め部と、の少なくとも一方を有していることが好ましい。
第一回転止め部と第二回転止め部の少なくとも一方によって外れ止め部が障子に対して回動することを阻止できる。第一回転止め部と第二回転止め部は外れ止め部の側部と下部に設けることが好ましい。
【０００９】
また、框にはハンドルが設置され、第一回転止め部はハンドルに当接する外れ止め部材の起立部であることが好ましい。
障子の框に設けたハンドルに外れ止め部の起立部を当接させることで、外れ止め部の回動を阻止できる。
【００１０】
また、ハンドルは框に固定される２つの固定部を有しており、一方の固定部に外れ止め部が固定され、他方の固定部にスペーサが固定されていてもよい。
ハンドルの２つの固定部を外れ止め部とスペーサを介して框に固定することで、ハンドルをバランスよく固定保持できる。
【００１１】
本発明によるサッシは、上枠及び下枠と左右の縦枠を備えた枠体内に障子を納めたサッシであって、障子の横框に障子が枠体から外れることを阻止する外れ止め部材が横框より外側に突出して設けられ、上枠または下枠には横框との間に外れ止め部材を受け入れ可能な弾性を有する封止部材が設けられていることを特徴とする。
本発明によれば、外れ部材は横框から外側に突出する部分が上枠または下枠と横框との間に突出しており、しかも上枠または下枠に設けた封止部材を弾性変形させて進入するため封止部材によって外れ止め部材のがたつきを抑制できる。
【００１２】
また、障子は上枠及び下枠で支持され、縦枠では支持されていなくてもよい。
障子は上枠及び下枠で支持されているため、上枠及び下枠の溝部を外すことで取り外し可能である。
【００１３】
また、封止部材は下向きに形成され、横框は障子の下部に設けた下框であり、外れ止め部材は下框より下方に延びていて封止部材は外れ部材を受け入れて弾性変形可能とされていてもよい。
下框に設けた外れ止め部材が下框より下方に延びて、下枠に設けた封止部材を弾性変形させて進入することで、外れ止め部材によって障子が枠体から外れることを阻止すると共にガタツキを防止できる。
【００１４】
本発明による外れ止め部材は、障子の框に固定されて障子が枠体から外れることを阻止する外れ止め部材であって、障子との間で相対回転を阻止する回転止め部を有する保持部と、保持部に固定され且つ保持部から延びていて枠体との間に係止される係止部と、を備えたことを特徴とする。
本発明によれば、外れ止め部材の保持部に設けた回転止め部で障子に対する回動を阻止でき、しかも係止部によって障子が枠体から外れないように係止できる。
【００１５】
また、保持部に設けた回転止め部は、框に当接する第一回転止め部と、框に当接すると共に第一回転止め部に交差する方向に設けられた第二回転止め部と、の少なくとも一方を有していることが好ましい。
【００１６】
本発明による障子の取り付け方法は、枠体に障子を取り付ける障子の取り付け方法であって、枠体の下枠に形成された溝部に支持部材を取り付ける工程と、枠体の上枠に形成された溝部と下枠の支持部材との間に障子を取り付ける工程と、障子の下框に設けられた外れ止め部材を下枠の溝部内に突出させる工程と、を備えたことを特徴とする。
本発明によれば、枠体に障子を取り付けた状態で、下框に設けた外れ止め部材を下枠の溝部内に突出させることで、地震の際に障子が枠体から外れることを外れ止め部材で阻止できる。
【発明の効果】
【００１７】
本発明による障子、サッシ、外れ止め部材及び障子の取り付け方法によれば、外れ止め部材を框より突出させて設けたため、突出した部分が枠体に当接することで障子が枠体から外れることを防止できる。
しかも、本発明による障子及び外れ止め部材は、回転止め部によって外れ止め部材が障子の框に対して回動することを阻止できる。
また、本発明によるサッシは、上枠または下枠に設けた封止部材が弾性変形して外れ止め部材を受け入れることでがたつきを防止できる。
【図面の簡単な説明】
【００１８】
【図１】本発明の実施形態によるＦＩＸ窓を屋内側から見た正面図である。
【図２】図１に示すＦＩＸ窓のＡ−Ａ線縦断面図である。
【図３】図1に示すＦＩＸ窓のＢ−Ｂ線横断面図である。
【図４】図２に示す下框の外れ止め部材の取り付け構造を示す縦断面図である。
【図５】内側障子の下框に取り付けハンドルと外れ止め部材を示す正面図である。
【図６】ハンドルを除いた下框の外れ止め部材を示す正面図である。
【図７】外れ止め部材の正面図である。
【図８】図２に示す下框の部分と外れ止め部材の拡大図である。
【図９】図５に示すハンドルと外れ止め部材を異なる方向から見た図である。
【図１０】従来のＦＩＸ窓から内側障子を取り外す状態を示す斜視図である。
【発明を実施するための形態】
【００１９】
以下、本発明の実施形態によるサッシの一例としてＦＩＸ窓１について、図１乃至図９に基づいて説明する。
図１乃至図３に示す本実施形態によるサッシは例えばＦＩＸ窓(嵌め殺し窓)１であり、例えば外側障子２と内側障子３を備えた二層サッシを有している。このＦＩＸ窓１は躯体に形成した四角形状の開口部Ａに形成した額縁１３内に設置されている。ＦＩＸ窓１の外側障子２は額縁１３の屋外側に設けた枠体５内に嵌め込み固定され、内側障子３は額縁１３の内側に設置した内側の枠体９内に取り外し可能に取り付けられている。内側障子３は空間を掃除等するために取り外し可能とした。
ＦＩＸ窓１において、外側の枠体５は四角形枠状に形成されている。外側の枠体５に納められた外側障子２は、パネルとして例えば四角形板状の外側ガラス６がその四辺縁部に設けたシール部材７を介して外側の枠体５の凹部に嵌合され固定されている。
【００２０】
ＦＩＸ窓１の内側の枠体９は上枠１０及び下枠１１と左右の縦枠１２とで四角形枠状に形成され、その外側に木製の額縁辺部１３ａ、１３ｂ、１３ｃが形成されているが、額縁１３は設置されていなくてもよい。
ここで、図２に示すように、上枠１０と下枠１１はその内面に溝部として同一深さのレール溝１０ａ、１１ａを備えた略同一形状の部材を用いることで製造コストを低減している。なお、上枠１０と下枠１１のレール溝１０ａ、１１ａは深さが異なっていてもよい。下枠１１には例えばレール溝１１ａ内にその長手方向に沿って所定間隔でライナー１４が嵌合され、ねじ等で固定されている。ライナー１４は支持部材である。
図４に示すように、ライナー１４は例えば箱状であり、その幅はレール溝１１ａの幅より小さく、高さはレール溝１１ａの高さより少し低い高さに設定されている。そのため、下枠１１のレール溝１１ａのライナー１４上に載置された内側障子３の下端部はレール溝１１ａの上端より若干低い位置にあり、下枠１１に支持されている。
【００２１】
内側障子３は、横框である上框１６及び下框１７と左右の縦框１８とで四角形枠状に形成され、その内部にパネルとして内側ガラス１９等が納められている。なお、上框１６に代えて上桟、下框１７に代えて下桟、縦框１８に代えて縦桟を設けてもよく、これらは各框に含まれる。下框１７の屋内側の面には例えば略コの字形状で金属製のハンドル２０が固定ねじ２５で固定されている。
ハンドル２０は下框１７に固定ねじ２５で固定する略板状をなす２つの固定部２０ａ、２０ｂと固定部２０ａ、２０ｂ同士を連結する把持部２０ｃとで形成されている。しかも一方の固定部２０ａと下框１７との間には後述する外れ止め部材２２が装着されている。
【００２２】
上枠１０及び下枠１１のレール溝１０ａ、１１ａが同一深さであり、内側障子３は例えばケンドン方式でレール溝１０ａ、１１ａに順次嵌合して取り付けると、取り付け状態で内側障子３は上枠１０に係合しない。図３に示すように、左右の縦枠１２は略Ｌ字状であり、内側障子３の両側部はこの縦枠１２に当接して支持されている。内側障子３は内側の枠部９に対して取り外し可能であり、縦枠１２には係合していない。
そのため、本実施形態では、取り付け状態で内側障子３が上枠１０及び下枠１１のレール溝１０ａ，１１ａに挿入されて係合状態を維持するように下枠１１のレール溝１１ａ内にライナー１４を設置した。これによって、枠体９に取り付けられた内側障子３は下框１７がライナー１４上で下枠１１のレール溝１１ａに係合すると共に、上框１６が上枠１０のレール溝１０ａに係合する(図２参照)。
【００２３】
次に、外れ止め部材２２について図４乃至図９により説明する。
図４、図５及び図９に示すように、内側障子３の下框１７は屋内側の側面において上下の段部１７ａ、１７ｂに対して中間面１７ｃが屋外側に凹んで形成されている。この中間面１７ｃにハンドル２０が固定されている。下框１７の中間面１７ｃとハンドル２０の固定部２０ａとの間に外れ止め部材２２が固定されている。
外れ止め部材２２は、図７に示すように例えば樹脂製の保持部２３と保持部２３の内部に嵌合されて接着剤等で固定された係止部としての金属製の係止舌片２４とで構成されている。
【００２４】
係止舌片２４は上下に延びる長板状であり、上部は保持部２３内に固定され、下部は保持部２３よりも下方に突出していて下枠１１に係止可能とされている。係止舌片２４の下端部は角がＲ状に面取りされていることが好ましい。保持部２３はその中央に係止舌片２４の長手方向に長孔２３ａが形成され、その内部の係止舌片２４にも長孔２３ａに重なる長孔２４ａが形成されている。保持部２３の長孔２３ａと係止舌片２４の長孔２４ａを通して固定ねじ２５を下框１７に捩じ込むことで外れ止め部材２２を下框１７に固定することができる。
【００２５】
しかも、保持部２３の長孔２３ａの両側には固定ねじ２５の頭部を長孔２３ａの中央上部にガイドするためのテーパ部２３ｂが形成されている。更に保持部２３の一側部には固定ねじ２５を緩めた状態で外れ止め部材２２を上下方向に移動操作可能な操作部２３ｃが形成されている。操作部２３ｃは手動で操作しやすいように表面に凸部または凹部が所定間隔で配列されていることが好ましい。保持部２３において、長孔２３ａを有する本体部分の側部に操作部２３ｃが設けられており、その間に凹溝部２３ｅが形成されている。そのため、保持部２３の横幅が制限される場合には凹溝部２３ｅを境にして操作部２３ｃを切断除去してもよい。
【００２６】
また、保持部２３の操作部２３ｃに対向する他側部には第一回転止め部をなす起立部２７が立ち上がって形成されている。ハンドル２０の固定部２０ａを保持部２３の表面に着座させた状態で起立部２７が固定部２０ａの側部に当接することで、外れ止め部材２２が下框１７に対して回動することを阻止できる(図５、図９参照)。
保持部２３の下部には段付き部２３ｄから係止舌片２４が下方に突出する形状を有しており、段付き部２３ｄにおける係止舌片２４の裏面側（下框１７側）は下方に延びてその下端部に第二回転止め部をなす当接部２８が例えば平面状に形成されている。この当接部２８は下框１７の下側の段部１７ｂに当接する(図４参照)ことで、外れ止め部材２２が下框１７に対して回動することを阻止できる。外れ止め部材２２の起立部２７と当接部２８は互いに略直交する方向に設置されているため、下框１７に対する外れ止め部材２２の回動やずれを確実に阻止できる。なお、起立部２７と当接部２８とは直交して配置されていなくてもよく、交差する角度に設定されていればよい。
【００２７】
ハンドル２０の他方の固定部２０ｂと下框１７との間には板状のスペーサ３０が介在している。このスペーサ３０は外れ止め部材２２の保持部２３と同等な厚みを有しており、ハンドル２０の両側の固定部２０ａ、２０ｂの高さをバランスさせてハンドル２０に段差や歪み等が生じることを防止している。
なお、ハンドル２０がブラインドに当たる等で邪魔な場合には、外れ止め部材２２はハンドル２０を内側障子３に取り付けなくてもよい。この場合、図６に示すように直接下框1７の中間面１７ｃに固定ねじ２５で固定してもよい。
【００２８】
次に外れ止め部材２２の係止舌片２４と下枠１１との係止構造について図４及び図８に沿って説明する。
内側障子３を収納する下枠１１のレール溝１１ａ内にはライナー１４が所定間隔で設置されており、ライナー１４の上面には内側障子３の下框１７が設置されている。レール溝１１ａのハンドル２０側の内面にはレール溝１１ａの開口を封止するようにゴム等の弾性部材からなるヒレ部２９が封止部材として下框１７に向けて延びている。図８に示す例ではヒレ部２９は上下二枚設けられているが、一枚または三枚以上でもよい。レール溝１１ａの他方の内面には例えば中空の断面略円弧状のシール部３２が設けられ、下框１７に当接している。シール部３２もヒレ部等で形成してもよい。
【００２９】
そして、下框１７の中間面１７ｃに固定された外れ止め部材２２から下方に延びる係止舌片２４は下枠１１のレール溝１１ａの内面とライナー１４との間の隙間に延びている。しかもレール溝１１ａ内の係止舌片２４に弾性変形したヒレ部２９が当接している。そのため、地震等で内側障子３の下框１７が屋内側に回動しても外れ止め部材２２の係止舌片２４が下枠１１のレール溝１１ａに当接して外れることを阻止できる。しかも、係止舌片２４にヒレ部２９が当接することでガタツキを防止できる。
【００３０】
本実施形態によるＦＩＸ窓１は上述した構成を備えており、次に内側の枠体９への内側障子３の取り付け方法について説明する。
図１乃至図３に示すＦＩＸ窓１において、躯体の開口部Ａに設けた外側の枠体５に外側障子２が嵌め込み固定されている。その屋内側には額縁１３の内側に内側の枠体９が固定されている。内側の枠体９の上枠１０と下枠１１は同一深さのレール溝１０ａ、１１ａを有しており、下枠１１のレール溝１１ａ内には所定間隔でライナー１４を設置し、ねじ等で固定する。
【００３１】
そして、ハンドル２０を下框１７に固定した内側障子３をケンドン式によって内側の枠体９に取り付ける。その際、下框１７に外れ止め部材２２を仮止めし、しかも下框１７に取り付けた固定ねじ２５に対して長孔２３ａ、２４ａに沿って外れ止め部材２２を上方にスライドさせる。係止舌片２４が下框１７から突出しない位置で、外れ止め部材２２を固定ねじ２５で仮止め固定する。
内側障子３の取り付けに際し、まず上框１６を上枠１０のレール溝１０ａ内に挿入して下框１７を下枠１１のレール溝１１ａ内のライナー１４上に載置させて装着する。この状態で、図２及び図４に示すように、下框１７の下端部はレール溝１１ａ内で下枠１１の上端より下側に位置している。しかも、内側障子３はレール溝１１ａの開口に設けたヒレ部２９とシール部３２によって挟まれて封止され、ごみ等の侵入を低減できる。
【００３２】
次に下框１７の固定ねじ２５を緩めて外れ止め部材２２の操作部２３ｃを下方にスライドすると、固定ねじ２５に長孔２３ａ、２４ａがガイドされて外れ止め部材２２が下方に移動し、長孔２３ａ、２４ａの上端部が固定ねじ２５に当接する。これにより、外れ止め部材２２の係止舌片２４は下框１７から下方に突出し、下枠１１のレール溝１１ａの内面と下框１７との隙間からレール溝１１ａの内面に設けたヒレ部２９を押して弾性変形させながら内部に進入して保持される。
係止舌片２４と下枠１１との間に弾性部材からなるヒレ部２９が介在するため、係止舌片２４のがたつきを防止できる。
【００３３】
そして、固定ねじ２５を締め込むことで外れ止め部材２２を固定できる。その際、保持部２３の長孔２３ａの上端部近傍の両側にテーパ部２３ｂを形成したため固定ねじ２５の位置が多少ずれていたとしても、締め込み時にテーパ部２３ｂに沿って固定ねじ２５の頭部を所定位置に移動できる。保持部２３の長孔２３ａと係止舌片２４の長孔２４ａに同時に固定ねじ２５を締め込むことで、外れ止め部材２２を高強度で固定できる。また、外れ止め部材２２は内側障子３の下框１７に設けたため確実に作業者の手が届き、手動操作が容易である。
【００３４】
この状態で例えば地震が発生し、縦揺れによって内側障子３が浮き上がると下框１７は下枠１１のレール溝１１ａから外れて下枠１１との掛りがなくなる。これと同時に横揺れが発生すると、内側障子３は下框１７が下枠１１から外れる方向に揺動しようとするが、外れ止め部材２２の係止舌片２４が下枠１１のレール溝１１ａ内に係止しているため内側障子３の下枠１１からの外れを阻止できる。
また、外れ止め部材２２は側部の起立部２７がハンドル２０の固定部２０ａの側面に当接しており、しかも下端の当接部２８が下框１７の下側の段部１７ｂに当接しているため、外れ止め部材２２が内側障子３に対して回動したりずれたりすることを防止できる。
【００３５】
また、ハンドル２０を内側障子３に取り付けない場合でも、図６に示すように、下框１７の中間面１７ｃに外れ止め部材２２を直接固定ねじ２５で固定できる。外れ止め部材２２は略板状の保持部２３と係止舌片２４とで構成されていて表面の凹凸が小さいため、下框１７の中間面１７ｃに直接固定しても違和感を生じない。
しかも、ＦＩＸ窓１において、内側障子３は上枠１０と下枠１１に係合し、左右の縦枠１２に係合しないため、取り外し可能である。取り外しに際し、外れ止め部材２２の固定ねじ２５を緩めて操作部２３ｃを上方に押すことで外れ止め部材２２を上方に移動させて係止舌片２４を下框１７内に引っ込めることができる。この状態で、内側障子３を上枠１０のレール溝１０ａ内に持ち上げて下框１７を下枠１１のレール溝１１ａから外すように回動させることで内側障子３を取り外す。そして、外側障子２と内側障子３との間の空間を掃除等することができる。
【００３６】
上述のように本実施形態によるＦＩＸ窓１は、内側障子３がケンドン式であっても、地震等の際に外れ止め部材２２の係止舌片２４を下枠１１に係止できるため内側障子３が外れることを阻止できる。
また、外れ止め部材２２を内側障子３の下框１７に設けたため、その大きさに関わらず作業者が容易に手動操作できる。しかも内側障子３の取り付け時にハンドル２０の固定ねじ２５を外すことなく緩めるだけで外れ止め部材２２の位置決め操作ができるので固定ねじ２５や外れ止め部材２２等の紛失の恐れがない。
【００３７】
また、外れ止め部材２２は、ハンドル２０の固定部２０ａの側面に当接する起立部２７と下框１７の下方の段部１７ｂに当接する当接部２８とを略直交する位置に設けたため、内側障子３に対して回動したり位置ずれを起こしたりすることを阻止できる。しかも、外れ止め部材２２は保持部２３を樹脂製としたことで加工が容易であり、係止舌片２４を金属製としたことで高い強度を確保できる。
【００３８】
以上、本発明の実施形態によるＦＩＸ窓１について詳細に説明したが、本発明は上述の実施形態に限定されることはなく、本発明の要旨を逸脱しない範囲で適宜の変更や置換等が可能であり、これらはいずれも本発明に含まれる。以下に、本発明の変形例等について説明するが、上述の実施形態と同一または同様な部分、部材には同一の符号を用いて説明を省略する。
【００３９】
例えば、上述した実施形態では下框１７に外れ止め部材２２を設けたＦＩＸ窓１について説明したが、本発明はＦＩＸ窓１に限定されることなく、引き違い障子等の各種のサッシに外れ止め部材２２を取り付けることができる。
また、上述した実施形態では内側障子３の下框１７に外れ止め部材２２（及びハンドル２０）を設けたが、上框１６に設けてもよい。或いは、縦框１８に外れ止め部材２２（及びハンドル２０）を設けてもよく、この場合、係止舌片２４を縦枠１２に係止するか別個の係止部材を設けて係止できるようにするとよい。
外れ止め部材２２は保持部２３と係止舌片２４を共に金属材料で製作してもよい。
【００４０】
外れ止め部材２２における回転止め部として保持部２３に起立部２７と当接部２８を略直交させて設けたが、いずれか一方だけを設けてもよい。或いは回転止め部を省略してもよい。また、起立部２７は、ハンドル２０の固定部２０ａの側面に当接する構成に代えて、下框１７に突起部を形成してこの突起部に起立部２７を当接させて第一回転止め部としてもよい。
また、本発明による外れ止め部材２２は上述した内側障子３のような新設の障子に取り付けるだけでなく、既存の障子の下框や下桟に後付けすることもできる。
【符号の説明】
【００４１】
１  ＦＩＸ窓
３  内側障子
９  内側の枠体
１１  下枠
１１ａ  レール溝
１４  ライナー
１７  下框
１７ｂ  段部
２０  ハンドル
２０ａ、２０ｂ  固定部
２２  外れ止め部材
２３  保持部
２３ａ、２４ａ  長孔
２３ｃ  操作部
２４  係止舌片
２５  固定ねじ
２７  起立部
２８  当接部
３０  スペーサ
【図１】
2018184709.tif 000003
【図２】
2018184709.tif 000004
【図３】
2018184709.tif 000005
【図４】
2018184709.tif 000006
【図５】
2018184709.tif 000007
【図６】
2018184709.tif 000008
【図７】
2018184709.tif 000009
【図８】
2018184709.tif 000010
【図９】
2018184709.tif 000011
【図１０】
2018184709.tif 000012